(57)【要約】【課題】垂直ブランキング期間にブラック映像のためのブラックゲートパルス（BG）が出力された後、センシングのためのセンシングゲートパルス（SG）が出力されるタイミングをゲートライン毎に設定可能な有機発光表示装置を提供する。【解決手段】一実施形態に係る有機発光表示装置は、有機発光ダイオードを駆動する駆動トランジスタを具備する有機発光表示パネル、ゲートドライバ及びゲートドライバを制御する制御部とを含み、ゲートドライバが、第１フレーム期間中に制御部からの第１〜第８ゲートクロックを用いて映像ゲートパルス、BG及びSGを生成する第１駆動部と、第１フレーム期間中に制御部からの第９〜第１６ゲートクロックを用いて映像ゲートパルス、BG及びSGを生成する第２駆動部と、第１フレーム期間の第３期間中、SGが出力されるように第１駆動部および第２駆動部を制御する第３駆動部を含む。【選択図】図１
2020076949.tif 000002
【特許請求の範囲】
【請求項１】
有機発光ダイオードと前記有機発光ダイオードを駆動する駆動トランジスタとを含むピクセルを具備する有機発光表示パネル；
第１フレーム期間中の第１期間に、映像出力に用いられる映像データ電圧の出力を制御する映像ゲートパルスを前記有機発光表示パネルに備えられたゲートラインに出力し、前記第１期間後の第２期間に、ブラック映像出力に用いられるブラック映像データ電圧の出力を制御するブラックゲートパルス及び前記映像ゲートパルスを出力し、前記第１フレーム期間中の前記第２期間後から第２フレーム期間の第１期間が開始されるまでの第３期間に、特性変化を検出する駆動トランジスタと接続している一つのゲートラインにセンシングゲートパルスを出力するゲートドライバ；
前記有機発光表示パネルに備えられたデータラインに、データ電圧を出力するデータドライバ；および
前記ゲートドライバと前記データドライバとを制御する制御部
を含み、
前記ゲートドライバが、
前記第１フレーム期間中、前記制御部から伝送される第１〜第８ゲートクロックを用いて前記映像ゲートパルス、前記ブラックゲートパルス及び前記センシングゲートパルスを生成する第１駆動部；
前記第１フレーム期間中、前記制御部から伝送される第９〜第１６ゲートクロックを用いて前記映像ゲートパルス、前記ブラックゲートパルス及び前記センシングゲートパルスを生成する第２駆動部；および
前記第１フレーム期間の前記第３期間中、前記センシングゲートパルスが出力されるように前記第１駆動部および前記第２駆動部を制御する第３駆動部
を含む、
有機発光表示装置。
【請求項２】
前記データドライバが、
前記データラインに、前記第１期間には前記映像データ電圧を出力し、前記第２期間に前記映像データ電圧又は前記ブラック映像データ電圧を出力し、前記第３期間に前記ブラック映像データ電圧にまたはセンシング映像出力のためのセンシング映像データ電圧を出力する、請求項１に記載の有機発光表示装置。
【請求項３】
前記ブラックゲートパルスが、前記第１フレーム期間の前記第２期間から前記第２フレーム期間の前記第１期間の一部期間まで出力される、請求項１に記載の有機発光表示装置。
【請求項４】
前記第３駆動部が、
前記制御部から伝送されるライン選択信号によって、前記ゲートラインのうち、前記センシングゲートパルスが出力されるセンシングゲートラインを選択し、
前記第１駆動部または前記第２駆動部が前記センシングゲートラインに前記センシングゲートパルスを出力するように、前記第１駆動部または前記第２駆動部を前記制御部から伝送されるリセット信号によって制御する、
請求項１に記載の有機発光表示装置。
【請求項５】
前記制御部が、
ゲートクロックのうち、前記センシングゲートラインに前記第１フレームの前記第１期間または前記第２期間に出力される映像ゲートパルスに対応するゲートクロックが前記第１駆動部または前記第２駆動部に出力されるタイミングで、前記ライン選択信号を前記第３駆動部に出力する請求項４に記載の有機発光表示装置。
【請求項６】
前記制御部が、
前記センシングゲートパルスが前記第１駆動部から出力される場合、前記第３期間中、前記第１駆動部がブラックゲートパルスを出力するために駆動した後から、前記第２駆動部がブラックゲートパルスを出力して、再度、ブラックゲートパルスを出力するために前記第１駆動部が駆動するまでの第１スリーピング期間中のいずれか一つの期間をセンシング可能期間として選択し、前記センシング可能期間の開始を知らせる前記リセット信号を前記第３駆動部に伝送する、請求項４に記載の有機発光表示装置。
【請求項７】
前記制御部が、
前記センシングゲートパルスが前記第２駆動部から出力される場合、前記第３期間中、前記第２駆動部がブラックゲートパルスを出力するために駆動した後から、前記第１駆動部がブラックゲートパルスを出力して、再度、ブラックゲートパルスを出力するために前記第２駆動部が駆動するまでの第２スリーピング期間中のいずれか一つの期間をセンシング可能期間に選択し、前記センシング可能期間の開始を知らせる前記リセット信号を前記第３駆動部に伝送する、請求項４に記載の有機発光表示装置。
【請求項８】
前記第１フレーム期間の前記第３期間で、前記ブラックゲートパルスが出力した後から、前記センシングゲートラインにセンシングゲートパルスが出力されるまでの期間は、前記第２フレーム期間の第３期間で、ブラックゲートパルスが出力された後から、別のセンシングゲートラインにセンシングゲートパルスが出力されるまでの期間と異なる、請求項６に記載の有機発光表示装置。
【請求項９】
前記第１駆動部または前記第２駆動部が、８つのゲートラインに同時に前記ブラックゲートパルスを出力する、請求項１に記載の有機発光表示装置。
【請求項１０】
前記第１駆動部が、第１〜第８ゲートクロックを用いて前記映像ゲートパルスを生成し、
前記第２駆動部が、第９〜第１６ゲートクロックを用いて前記映像ゲートパルスを生成する、
請求項１に記載の有機発光表示装置。
【請求項１１】
前記第１駆動部から出力される第４ゲートクロックと第５ゲートクロック間の間隔が、前記第１駆動部から出力する残りのゲートクロック間の間隔よりも大きく、
前記第２駆動部から出力される第１２ゲートクロックと第１３ゲートクロック間の間隔が、前記第２駆動部から出力される残りのゲートクロック間の間隔よりも大きい、
請求項１０に記載の有機発光表示装置。
【請求項１２】
前記第１駆動部が、前記第４ゲートクロックが出力される期間と前記第５ゲートクロックが出力される期間との間に、前記ブラックゲートパルスを出力し、
前記第２駆動部が、前記第１２ゲートクロックが出力される期間と前記第１３ゲートクロックが出力される期間との間に、前記ブラックゲートパルスを出力する、
請求項１１に記載の有機発光表示装置。
【請求項１３】
有機発光ダイオードと前記有機発光ダイオードを駆動する駆動トランジスタを含むピクセルを具備する有機発光表示パネル；
第１フレーム期間中、第１期間に、映像出力に用いられる映像データ電圧の出力を制御する映像ゲートパルスを前記有機発光表示パネルに備えられたゲートラインに出力し、前記第１期間後の第２期間に、ブラック映像出力に用いられるブラック映像データ電圧の出力を制御するブラックゲートパルス及び前記映像ゲートパルスを出力し、前記第１フレーム期間中、前記第２期間後から第２フレーム期間の第１期間が開始されるまでの第３期間に、特性変化が検出される駆動トランジスタと接続している一つのゲートラインに、センシングゲートパルスを出力するゲートドライバ；
前記有機発光表示パネルに備えられたデータラインに、データ電圧を出力するデータドライバ；および
前記ゲートドライバと、前記データドライバとを制御する制御部を含み、
前記第１フレーム期間の前記第３期間で、ブラックゲートパルスが出力された後からセンシングゲートパルスが出力されるまでの期間は、前記第２フレーム期間の第３期間で、ブラックゲートパルスが出力された以後からセンシングゲートパルスが出力されるまでの期間と異なる、有機発光表示装置。
【請求項１４】
前記ブラックゲートパルスが、前記第１フレーム期間の前記第２期間から前記第２フレーム期間の前記第１期間の一部期間まで出力される、請求項１３に記載の有機発光表示装置。
【請求項１５】
前記ゲートドライバが、
前記第１フレーム期間中、前記制御部から伝送された第１〜第８ゲートクロックを用いて前記映像ゲートパルス、前記ブラックゲートパルス及び前記センシングゲートパルスを生成する第１駆動部；
前記第１フレーム期間中、前記制御部から伝送される第９〜第１６ゲートクロックを用いて前記映像ゲートパルス、前記ブラックゲートパルス及び前記センシングゲートパルスを生成する第２駆動部；および
前記第１フレーム期間の前記第３期間中、前記センシングゲートパルスが出力されるように前記第１駆動部および前記第２駆動部を制御する第３駆動部
を含む、請求項１３に記載の有機発光表示装置。
【請求項１６】
前記第１駆動部および前記第２駆動部が、１６個の映像ゲートパルスを交互に出力する、請求項１５に記載の有機発光表示装置。
【請求項１７】
前記第１駆動部および前記第２駆動部が、３２個の映像ゲートパルスを周期にして、同じ機能を繰り返し実行する、請求項１５に記載の有機発光表示装置。
【請求項１８】
前記第１駆動部および前記第２駆動部が１６個の映像ゲートパルスを交互に出力する場合、前記第１駆動部および前記第２駆動部は、３２個の映像ゲートパルスを周期にして、同じ機能を繰り返し実行し、前記ゲートラインは２１６０本であり、
前記ゲートパルスが出力される期間は、３２ｎ＋１６で表現され（ｎは６７以下の自然数）、ｎが６７のときに２１６０本の前記ゲートパルスがすべて出力される、
請求項１５に記載の有機発光表示装置。
【請求項１９】
前記第１駆動部が、前記第１〜第８ゲートクロックを用いて、１６個の映像ゲートパルスを出力し、
前記第１駆動部で１６個の映像ゲートパルスが出力された後、前記第２駆動部は、前記第９〜第１６ゲートクロックを用いて、１６個の映像ゲートパルスを出力し、
前記第２駆動部で１６個の映像ゲートパルスが出力された後、前記第１駆動部は、前記第１〜第８ゲートクロックを用いて、１６個の別の映像ゲートパルスを出力し、
前記第１駆動部で１６個の前記別の映像ゲートパルスが出力された後、前記第２駆動部は、前記第９〜第１６ゲートクロックを用いて、１６個のさらに別の映像ゲートパルスを出力する、
請求項１８に記載の有機発光表示装置。
【請求項２０】
前記第１駆動部または前記第２駆動部が、８つのゲートラインに同時に前記ブラックゲートパルスを出力する、請求項１５に記載の有機発光表示装置。
【発明の詳細な説明】
【技術分野】
【０００１】
本発明は、動画応答時間（MPRT：Motion Picture Response Time）を改善するために、１フレーム期間で、映像を出力した後、ブラック映像を出力するブラック映像方式を用いる有機発光表示装置に関するものである。
【背景技術】
【０００２】
液晶表示装置だけでなく、有機発光表示装置でも、動画応答時間（MPRT：Motion Picture Response Time）の遅延により、映像が鮮明に表示されないという問題が発生している。
【０００３】
これを防止するためには、１フレーム期間で、映像を出力した後にブラック映像を出力するブラック映像方式が用いられている。
【０００４】
また、従来の有機発光表示装置では、工程偏差、劣化などの理由により、ピクセルごとに駆動トランジスタの閾値電圧（Vth）または移動度などの特性に偏差が発生する。したがって、それぞれの有機発光ダイオードを駆動する電流量が異なり、これにより、ピクセル間の輝度に偏差が発生している。
【０００５】
これを克服するために、さまざまな種類の補償方法が用いられている。
【０００６】
前記の補償方法が適用されるためには、１フレーム期間中の映像データ電圧が出力されない垂直ブランキング期間に、センシング映像データ電圧が有機発光表示パネルに出力されなければならない。
【０００７】
また、前記ブラック映像方式を用いる有機発光表示装置では、前記の垂直ブランキング期間にブラック映像データ電圧が有機発光表示パネルに出力されなければならない。
【０００８】
しかし、従来の有機発光表示装置では、移動度などの補償のためのセンシング映像データ電圧とブラック映像方式を適用するためのブラック映像データ電圧を、前記ブランキング期間に有機発光表示パネルにすべて出力することができない。
【発明の概要】
【発明が解決しようとする課題】
【０００９】
上述した問題点を解決するために提案された本発明の目的は、垂直ブランキング期間にブラック映像のためのブラックゲートパルスとセンシングのためのセンシングゲートパルスを出力し、ブラックゲートパルスを出力した後、センシングゲートパルスを出力するタイミングをゲートラインごとに異なって設定することができる有機発光表示装置を提供することである。
【課題を解決するための手段】
【００１０】
本明細書の一実施例による有機発光表示装置は、有機発光ダイオードと前記有機発光ダイオードを駆動する駆動トランジスタを含むピクセルを具備する有機発光表示パネルと、第１フレーム期間中の第１期間に、映像出力に用いられる映像データ電圧の出力を制御する映像ゲートパルスを前記有機発光表示パネルに備えられたゲートラインに出力し、前記第１期間の後の第２期間に、ブラック映像出力に用いられるブラック映像データ電圧の出力を制御するブラックゲートパルス及び前記映像ゲートパルスを出力し、前記第１フレーム期間中の前記第２期間後から第２フレーム期間の第１期間が開始するまでの第３期間に、特性変化を検出する駆動トランジスタと接続している一つのゲートラインにセンシングゲートパルスを出力するゲートドライバと、前記有機発光表示パネルに備えられたデータラインにデータ電圧を出力するデータドライバと、前記ゲートドライバと前記データドライバを制御する制御部とを含む。前記ゲートドライバは、前記第１フレーム期間中、前記制御部から伝送される第１〜第８ゲートクロックを用いて前記映像ゲートパルス、前記ブラックゲートパルス及び前記センシングゲートパルスを生成する第１駆動部、前記第１フレーム期間中、前記制御部から伝送される第９〜第１６ゲートクロックを用いて前記映像ゲートパルス、前記ブラックゲートパルス及び前記センシングゲートパルスを生成する第２駆動部および、前記第１フレーム期間の前記第３期間中、前記センシングゲートパルスが出力されるように前記第１駆動部および前記第２駆動部を制御する第３駆動部を含む。
【００１１】
本明細書の一実施形態に係るまた他の有機発光表示装置は、有機発光ダイオードと前記有機発光ダイオードを駆動する駆動トランジスタを含むピクセルを具備する有機発光表示パネルと、第１フレーム期間中の第１期間に、映像出力に用いられる映像データ電圧の出力を制御する映像ゲートパルスを前記有機発光表示パネルに備えられたゲートラインに出力し、前記第１期間の後の第２期間には、ブラック映像出力に用いられるブラック映像データ電圧の出力を制御するブラックゲートパルス及び前記映像ゲートパルスを出力し、前記第１フレーム期間中の前記第２期間後から第２フレーム期間の第１期間が開始されるまでの第３期間に、特性変化を検出する駆動トランジスタと接続している一つのゲートラインにセンシングゲートパルスを出力するゲートドライバと、前記有機発光表示パネルに備えられたデータラインにデータ電圧を出力するデータドライバと、前記ゲートドライバと前記データドライバを制御する制御部とを含む。前記第１フレーム期間の前記第３期間で、ブラックゲートパルスが出力された後からセンシングゲートパルスが出力されるまでの期間は、前記第２フレーム期間の第３期間でブラックゲートパルスが出力された後からセンシングゲートパルスが出力されるまでの期間と異なる。
【発明の効果】
【００１２】
本明細書によれば、ブラック映像出力のためのブラック映像データ電圧がパネルに供給されるタイミングと、センシング映像出力のためのセンシング映像データ電圧がパネルに供給されるタイミングを異なって設定することができ、これにより、ブラック映像を出力する機能と駆動トランジスタをセンシングする機能を垂直ブランキング期間にすべて実行することができる。
【図面の簡単な説明】
【００１３】
【図１】本発明に係る有機発光表示装置の構成を示す例示図である。
【図２】本発明に係る有機発光表示装置の一つのピクセルの構成を示す例示図である。
【図３】本発明に係る有機発光表示装置に適用される制御部の構成を示す例示図である。
【図４】本発明に係る有機発光表示装置に適用されるデータドライバの構成を示す例示図である。
【図５】本発明に係る有機発光表示装置に適用されるゲート駆動部のゲートパルス出力部の構成を示す例示図である。
【図６】本発明に係る有機発光表示装置の駆動期間を示す例示図である。
【図７】本発明に係る有機発光表示装置に適用されるクロックの波形を示す例示図である。
【図８】本発明に係る有機発光表示装置の第２期間にゲートドライバから出力されるゲートパルスを示す例示図である。
【図９】本発明に係る有機発光表示装置の第３期間にゲートドライバから出力されるゲートパルスを示す例示図である。
【図１０】本発明に係る有機発光表示装置の第３期間を示す例示図である。
【発明を実施するための形態】
【００１４】
本発明の利点および特徴、そしてそれらを達成する方法は添付の図と共に詳細に後述されている実施例を参照すると明確になるだろう。しかし、本発明は、以下で開示される実施例に限定されるものではなく、異なる多様な形態で具現されるものであり、単に本実施例は、本発明の開示を完全にし、本発明が属する技術分野で通常の知識を有する者に発明の範疇を完全に知らせるために提供するものであり、本発明は、請求項の範疇によって定義されるだけである。
【００１５】
本明細書では、各図の構成要素に参照番号を付加する場合において同一の構成要素に限ってはたとえ他の図上に表示されていても、可能な限り同一の番号を有するようにしていることに留意しなければならない。
【００１６】
本発明の実施例を説明するための図に開示した形状、大きさ、比率、角度、数などは例示的なものなので、本発明は、図に示した事項に限定されるものではない。明細書全体にわたって同一参照符号は同一の構成要素を指す。また、本発明を説明するにおいて、関連する公知技術に対する詳細な説明が本発明の要旨を不必要に曖昧にし得る場合、その詳細な説明は省略できる。本発明で言及した「含む」、「有する」、「からなる」などを使用している場合は、「〜だけ」を使用していない限り、他の部分が追加され得る。構成要素を単数表現の場合、特に明示的な記載事項がない限り、複数が含まれる場合を含む。
【００１７】
構成要素を解釈するに当たり、別途の明示的な記載がなくても誤差の範囲を含むものと解釈する。
【００１８】
位置関係の説明である場合に、例えば、「〜の上に」、「〜の上部に」、「〜の下部に」、「〜の隣に」など２つの部分の位置関係を説明している場合、「すぐに」または「直接」を使用していない限り、二つの部分の間に一つ以上の他の部分が位置することもできる。
【００１９】
時間の関係に対する説明である場合に、例えば、「〜の後」、「〜に続いて」、「〜次の」、「〜前に」などで時間的前後関係を説明している場合、「すぐに」または「直接」を使用していない限り、連続していない場合も含むことができる。
【００２０】
「少なくとも一つ」の用語は、複数の関連項目から提示可能なすべての組み合わせを含むものと理解されなければならない。例えば、「第１項目、第２項目及び第３項目のうち少なくとも一つ」の意味は、第１項目、第２項目または第３項目のそれぞれだけでなく、第１項目、第２項目及び第３項目の中の二つ以上から提示することができるすべての項目の組み合わせを意味することができる。
【００２１】
第１、第２などが多様な構成要素を記述するために使用されるが、これらの構成要素はこれらの用語によって制限されない。これらの用語は、ただ一つの構成要素を他の構成要素と区別するために使用されるものである。したがって、以下に記載されている第１構成要素は、本明細書の技術的思想内で第２構成要素であることもある。
【００２２】
本明細書のいくつかの例のそれぞれの特徴が部分的または全体的に互いに結合または組み合わせが可能であり、各例が互いに独立して実施可能であり得、関連した関係で一緒に実施することもできる。
【００２３】
以下、添付した図を参照して、本発明の実施例を詳細に説明する。
【００２４】
図１は、本発明に係る有機発光表示装置の構成を示す例示図であり、図２は、本発明に係る有機発光表示装置の一つのピクセルの構成を示す例示図であり、図３は、本発明による有機発光表示装置に適用される制御部の構成を示す例示図であり、図４は、本発明に係る有機発光表示装置に適用されるデータドライバの構成を示す例示図である。
【００２５】
本発明に係る有機発光表示装置は、図１及び図２に示すように、有機発光表示パネル１００、データドライバ、ゲートドライバ２００および制御部４００を含む。前記データドライバは、少なくとも一つのデータドライバIC３００を含む。
【００２６】
以下の説明中、垂直ブランキング期間は、フレームとフレーム間の期間を意味する。フレームとは、１つのイメージを意味する。したがって、垂直ブランキング期間は、異なる２つのイメージが出力される期間の間の期間を意味する。
【００２７】
１フレーム期間とは、一つのイメージが出力される期間を意味し、１フレーム期間には、１つの垂直ブランキング期間が含まれる。つまり、１フレーム期間は、一つのイメージが出力される期間及び前記イメージが持続する前記垂直ブランキング期間を含む。以下の説明中、１フレーム期間（one frame period）に対して順序が必要な場合には、第１フレーム期間（first frame period）及び第２フレーム期間（second frame period）という用語を用い、それ以外の場合には、１フレーム期間（one frame period）という用語を用いる。
【００２８】
以下の説明では、最初の１フレーム期間は、第１フレーム期間と定義され、二番目の１フレーム期間は、第２フレーム期間と定義される。すなわち、第１フレーム期間と第２フレーム期間は、連続的に発生する期間である。
【００２９】
また、以下の説明では、１フレーム期間の間に、映像を出力した後、ブラック映像を出力する方式は、ブラック映像方式という。ブラック映像方式は動画応答時間（MPRT：Motion Picture Response Time）の遅延により、映像が鮮明に表示されない問題を解決するために利用される。ブラック映像方式では、例えば、１フレーム期間の最初の１／２の期間には、使用者が希望する映像のみが出力され、残りの１／２の期間には、ブラック映像と映像の両方が出力される。
【００３０】
以下では、前記の構成を順に説明する。
【００３１】
第一に、前記有機発光表示パネル１００には、有機発光ダイオード（OLED）と前記有機発光ダイオード（OLED）を駆動する駆動トランジスタを含むピクセル１１０が備えられている。
【００３２】
つまり、前記有機発光表示パネル１００には、図２に示すように、前記有機発光ダイオード（OLED）およびピクセル駆動回路（PDC）を含むピクセル１１０が備えられる。
【００３３】
また、前記有機発光表示パネル１００には、前記ピクセル１１０が形成されるピクセル領域を定義し、前記ピクセル駆動回路（PDC）に駆動信号を供給する信号ラインが形成されている。
【００３４】
前記の信号ラインは、ゲートライン（GL）、センシングパルスライン（SPL）、データライン（DL）、センシングライン（SL）、第１駆動電源ライン（PLA）及び第２駆動電源ライン（PLB）を含む。
【００３５】
前記ゲートライン（GL）は、前記有機発光表示パネル１００の第２方向、例えば、横方向に沿って一定の間隔を有するように並んで形成される。
【００３６】
前記センシングパルスライン（SPL）は、前記ゲートライン（GL）と並ぶように一定の間隔で形成することができる。
【００３７】
前記のデータライン（DL）は、前記ゲートライン（GL）及び前記センシングパルスライン（SPL）のそれぞれと交差するように前記有機発光表示パネル１００の第１方向、例えば、縦方向に沿って一定の間隔を有するように並んで形成することができる。しかし、前記のデータライン（DL）と前記ゲートライン（GL）の配置構造は、多様に変更することができる。
【００３８】
前記センシングライン（SL）は、前記データライン（DL）と並んで一定の間隔で形成することができる。しかし、必ずしもこれに限定されるものではない。例えば、少なくとも三つの前記ピクセル１１０は、一つの単位ピクセルを形成している。この場合、前記の単位ピクセルは、１つの前記センシングライン（SL）が形成され得る。したがって、前記の有機発光表示パネル１００の水平ラインにｄ個の前記データライン（DL1 to DLd）が形成されている場合、前記センシングライン（SL）の本数（ｋ）は、ｄ／４個になり得る。さらに説明すると、前記有機発光表示パネル１００の第１方向（縦方向）には、前記データラインが形成されていて、前記データラインと並んで前記センシングライン（SL）が形成されていて、前記センシングライン（SL）のそれぞれは、ひとつの水平ラインに形成されている単位ピクセルのそれぞれを構成する少なくとも三つのピクセル１１０に接続することができる。
【００３９】
前記第１駆動電源ライン（PLA）は、前記データライン（DL）及び前記センシングライン（SL）と並んで一定の間隔で形成することもできる。前記第１駆動電源ライン（PLA）は、前記電源供給部５００に接続して前記電源供給部５００から供給される第１駆動電源（EVDD）を各ピクセル１１０に供給する。
【００４０】
前記第２駆動電源ライン（PLB）は、前記電源供給部５００から供給される第２駆動電源（EVSS）を各ピクセル１１０に供給する。
【００４１】
前記ピクセル駆動回路（PDC）には、前記有機発光ダイオード（OLED）に流れる電流を制御する駆動トランジスタ（Tdr）及び前記データライン（DL）と駆動トランジスタ（Tdr）と前記ゲートライン（GL）の間に接続したスイッチングトランジスタ（Tsw1）が備えられる。また、前記ピクセル１１０のそれぞれに備えられた前記ピクセル駆動回路（PDC）には、キャパシタ（Cst）および外部補償のためのセンシングトランジスタ（Tsw2）が備えられる。
【００４２】
前記のスイッチングトランジスタ（Tsw1）は、前記ゲートパルス（GP）によってスイッチングされて前記データライン（DL）から供給されるデータ電圧（Vdata）を駆動トランジスタ（Tdr）のゲートに出力する。
【００４３】
前記センシングトランジスタ（Tsw2）は、前記センシングパルス（SP）によってスイッチングされて前記センシングライン（SL）に供給されるセンシング用電圧を前記駆動トランジスタ（Tdr）のソース電極である第２ノード（n2）に供給する。
【００４４】
前記キャパシタ（Cst）は、前記スイッチングトランジスタ（Tsw1）のスイッチングによって、第１ノード（n1）に供給される電圧を充電した後、充電した電圧によって前記駆動トランジスタ（Tdr）をスイッチングさせる。
【００４５】
前記駆動トランジスタ（Tdr）は、前記キャパシタ（Cst）の電圧によってターンオンされ、前記第１駆動電源ライン（PLA）から前記有機発光ダイオード（OLED）に流れるデータ電流（Ioled）の量を制御する。
【００４６】
前記有機発光ダイオード（OLED）は、駆動トランジスタ（Tdr）から供給されるデータ電流（Ioled）によって発光して、前記データ電流（Ioled）に対応する輝度を有する光を放出する。
【００４７】
前記の説明では、外部補償を実行するための、前記センシングライン（SL）を備えたピクセル１１０の構造を、図２を参照して説明したが、前記ピクセル１１０は、図２に示した構造以外にも、前記センシングライン（SL）を備えた多様な構造で形成することができる。
【００４８】
例えば、外部補償とは、前記ピクセル１１０に形成されている駆動トランジスタ（Tdr）の閾値電圧または移動度の変化量を算出し、前記変化量に基づいて、前記単位ピクセルに供給されるデータ電圧の大きさを可変させることを意味する。したがって、前記駆動トランジスタ（Tdr）の電圧または移動度の変化量が算出されるように、前記ピクセル１１０の構造を様々な形態に変更することができる。この場合、前記センシングライン（SL）を必ず備えなければならない。
【００４９】
さらに、外部補償のために、前記ピクセル１１０を用いて前記駆動トランジスタ（Tdr）の閾値電圧または移動度の変化量を算出する方法も、前記ピクセル１１０の構造によって多様に変更することができる。
【００５０】
この場合、前記外部補償のためのセンシングを、一つの垂直ブランキング期間に、１つのゲートラインに対して行なうことができる。
【００５１】
さらに説明すると、本発明は、外部補償のために、垂直ブランキング期間の間に、前記有機発光表示パネル１００が備える前記駆動トランジスタ（Tdr）の閾値電圧又は移動度がセンシングされる時、前記センシングと共にブラック映像を出力することができる有機発光表示装置に関するものであり、したがって、外部補償方法と直接に関係するものではない。
【００５２】
したがって、外部補償のためのピクセルの構造および外部補償を行なう方法は、現在、外部補償のために提案されている多様なピクセルの構造および多様な外部補償方法で構成することができる。
【００５３】
外部補償を行なうためのピクセルの具体的な構造および外部補償の具体的な方法は、本発明の範囲を逸脱するものである。したがって、外部補償のためのピクセルの一例が、図２を参照して、簡単に説明されており、外部補償方法もまた、以下に簡単に説明する。
【００５４】
また、本発明は、前記で説明したように、ブラック映像方式が用いられている。前記ブラック映像方式が適用される前記ピクセル１１０の構造も、図２に示した構造以外にも、ブラック映像方式によって多様に変更することができる。
【００５５】
すなわち、図２は、外部補償とブラック映像方式を実行するための最小限のピクセル１１０の構造を示しており、したがって、前記ピクセル１１０の構造は、図２に示した構造以外にも多様に変更することができる。
【００５６】
以下では、外部補償を用いる有機発光表示装置を、本発明の一例として説明する。
【００５７】
第二に、前記ゲートドライバ２００は、前記制御部４００から伝送されてきたゲート制御信号（GCS）を用いて、順次に前記ゲートライン（GL1 to GLg）にゲートパルス（GP）を供給する。
【００５８】
ここで、前記ゲートパルス（GP）は、前記ゲートライン（GL1 to GLg）に接続している前記スイッチングトランジスタ（Tsw1）をターンオンさせることができる信号を意味する。前記スイッチングトランジスタ（Tsw1）をターンオフさせることができる信号は、ゲートオフ信号とする。前記ゲートパルス（GP）と前記ゲートオフ信号を総称して、ゲート信号とする。
【００５９】
前記ゲートドライバ２００は、前記有機発光表示パネル１００と独立して形成され、テープキャリアパッケージ（TCP）、チップオンフィルム（COF）またはフレキシブルプリント回路基板（FPCB）などを介して前記有機発光表示パネル１００に接続することができるが、ゲートインパネル（Gate In Panel：GIP）方式を用いて、前記有機発光表示パネル１００内に直接実装することもできる。
【００６０】
前記ゲートドライバ２００は、第１フレーム期間中の第１期間に、映像出力用の映像データ電圧の出力を制御する映像ゲートパルスを前記有機発光表示パネルに備えられたゲートラインに出力する。
【００６１】
前記ゲートドライバ２００は、前記第１期間後の第２期間に、ブラック映像出力のためのブラック映像データ電圧の出力を制御するブラックゲートパルス及び前記映像ゲートパルスを出力する。
【００６２】
前記ゲートドライバ２００は、前記第１フレーム期間中の前記第２期間後から第２フレーム期間の第１期間が開始されるまでの第３期間に、特性変化を感知する駆動トランジスタと接続している一つのゲートラインに、センシングゲートパルスを出力する。
【００６３】
前記の映像ゲートパルス、前記のブラックゲートパルス及び前記センシングゲートパルスは、前記スイッチングトランジスタ（Tsw1）をターンオンさせる前記ゲートパルスである。
【００６４】
前記のブラックゲートパルスは、前記第１フレーム期間の前記第２期間から前記第２フレーム期間の前記第１期間の一部期間まで出力される。
【００６５】
前記第３期間は、前記ブランキング期間に対応する。前記第１期間及び前記第２期間を総称して表示期間とする。
【００６６】
このため、前記ゲートドライバ２００は、図１に示すように、第１フレーム期間中、前記制御部４００から伝送された第１〜第８ゲートクロックを用いて前記映像ゲートパルス、前記ブラックゲートパルス及び前記センシングゲートパルスを生成する第１駆動部２２１、前記第１フレーム期間中、前記制御部４００から伝送された第９〜第１６ゲートクロックを用いて前記映像ゲートパルス、前記ブラックゲートパルス及び前記センシングゲートパルスを生成する第２駆動部２２２および、前記第１フレーム期間の前記第３期間中、前記センシングゲートパルスが出力されるように前記第１駆動部２２１および前記第２駆動部２２２を制御する第３駆動部２１０を含む。
【００６７】
前記第１駆動部２２１と前記第２駆動部２２２からゲートパルスが出力される。したがって、前記第１駆動部２２１と前記第２駆動部２２２は、ゲートパルス出力部２２０に含まれる。
【００６８】
前記ゲートドライバ２００の具体的な構成および機能は、以下で図５を参照して詳細に説明する。
【００６９】
第三に、前記制御部４００は、前記ゲートドライバ２００と前記データドライバIC３００を制御する。
【００７０】
前記制御部４００は、図３に示すように、外部システムから入力するタイミング同期信号（TSS）を用いて、前記ゲートドライバ２００の駆動を制御するためのゲート制御信号（GCS）と、前記データドライバIC３００の駆動を制御するためのデータ制御信号（DCS）をそれぞれ生成する。
【００７１】
また、前記制御部４００は、外部補償のためのセンシングが行われるセンシングモードでは、外部補償が行なわれるゲートラインに接続しているピクセルに供給されるセンシング映像データを前記データドライバIC３００に伝送する。前記外部補償のためのセンシングは、様々なタイミングで行うことができる。例えば、駆動トランジスタ（Tdr）の移動度変化と関連する外部補償のためのセンシングは、前記ブランキング期間に行なうことができる。
【００７２】
前記制御部４００は、前記ブランキング期間に、前記センシングが行われ、前記データドライバから提供されるセンシングデータ（Sdata）をベースに、外部補償値を算出し、前記外部補償値を保存部４５０に保存する。前記保存部４５０は、前記制御部４００に含まれることもあり、または、前記制御部４００の外部に独立して形成することもできる。
【００７３】
前記制御部４００は、映像が出力される表示期間に前記外部システムから伝送される入力映像データ（Ri、Gi、Bi）を、前記外部補償値を用いて補正して、外部補償映像データに変換または前記入力映像データを外部補償せずに再整列して、一般の映像データに変換して出力する。前記データドライバIC３００は、前記外部補償映像データ又は前記一般映像データをデータ電圧（Vdata）に変換した後、前記データ電圧（Vdata）を前記データライン（DL1 to DLd）に供給する。
【００７４】
前記のような機能を実行するためには、前記制御部４００は、図３に示すように、前記外部システムから伝送されてきたタイミング同期信号（TSS）を用いて、前記外部システムから伝送されてきた入力映像データ（Ri、Gi、Bi）を再整列して、再整列した映像データを前記データドライバIC３００に供給するためのデータ整列部４３０、前記タイミング同期信号（TSS）を利用して前記ゲート制御信号（GCS）と前記データ制御信号（DCS）を生成するための制御信号生成部４２０、前記データドライバIC３００から伝送されてきた前記センシングデータ（Sdata）を用いて前記ピクセル１１０それぞれに形成されている駆動トランジスタ（Tdr）の特性変化を補償するための外部補償値を算出するための算出部４１０、前記外部補償値を保存するための保存部４５０および、前記データ整列部４３０で生成された映像データ（Data）と前記制御信号生成部４２０で生成された前記制御信号（DCS、GCS）を前記データドライバIC３００または前記ゲートドライバ２００に出力するための出力部４４０を含む。前記保存部４５０は、前記制御部４００に含むことができるが、図３に示すように、前記制御部４００とは独立して構成することもできる。前記データの整列部４３０は、前記外部補償値を用いて前記入力映像データを前記映像データに変換することができる。
【００７５】
特に、前記算出部４１０は、一つの垂直ブランキング期間にセンシングが行なわれるゲートラインを設定することができ、前記センシングが行なわれるタイミング（以下、単にセンシングタイミングとする）を設定することができる。
【００７６】
この場合、前記センシングが行なわれるタイミングは、ゲートラインごとに異なって設定することができる。ただし、すべてのゲートラインにおいて、前記センシングタイミングがすべて異なるものではない。例えば、本発明は、少なくとも２つの互いに異なるセンシングタイミングを適用することができる。
【００７７】
前記の算出部４１０は、前記センシングが行なわれるゲートラインを設定するために、前記制御信号生成部４２０を制御することができ、前記センシングタイミングを設定するために、前記制御信号生成部４２０を制御することができる。
【００７８】
前記制御信号生成部４２０は、前記算出部４１０の制御によって、前記センシングが行なわれるゲートラインを設定することができるライン選択信号を生成して前記ゲートドライバ２００に伝送することができ、前記算出部４１０の制御によって、前記センシングタイミングを設定することができるリセット信号を生成し、前記ゲートドライバ２００に伝送することができる。
【００７９】
前記ライン選択信号及び前記リセット信号は、前記ゲート制御信号（GCS）に含めることができる。
【００８０】
また、前記制御信号生成部４２０は、前記ゲートパルスの生成に用いられるゲートクロックを生成して前記ゲートドライバ２００に伝送することができる。前記ゲートクロックも前記ゲート制御信号（GCS）に含めることができる。
【００８１】
第四に、前記データドライバは、少なくとも一つの前記データドライバIC３００を含む。図１には、複数のデータドライバIC３００が示されている有機発光表示装置が、本発明の一例として示されている。
【００８２】
前記のデータドライバIC３００は、前記有機発光表示パネル１００に付着するチップオンフィルム６００に備えることができる。前記チップオンフィルム６００は、前記制御部４００が備えられているメイン基板７００にも接続している。しかし、前記のデータドライバIC３００を前記有機発光表示パネル１００に直接実装することもできる。
【００８３】
前記のデータドライバIC３００のそれぞれは、データラインと前記センシングラインに接続し、前記制御部４００から伝送される制御信号によって表示モード、ブラックモードおよびセンシングモードで動作する。
【００８４】
前記表示モードは、映像を出力するモードであり、前記第１期間及び前記第２期間に行われる。
【００８５】
前記ブラックモードは、ブラック映像を出力するモードであり、前記第２期間および前記第３期間に行われる。特に、前記ブラックモードは、第１フレーム期間の前記第２期間から第２フレーム期間の第１期間の一部期間まで行なうことができる。
【００８６】
前記センシングモードでは、前記駆動トランジスタの移動度をセンシングするモードであり、前記第３期間、すなわち、前記ブランキング期間に行われる。
【００８７】
少なくとも一つの前記データドライバIC３００のそれぞれは、図４に示すように、データ電源供給部３１０およびセンシング部３２０を含み、前記データ電源供給部３１０は、前記データライン（DL）に接続され、前記センシング部３２０は、前記センシングライン（SL）に接続される。
【００８８】
前記データ電源供給部３１０は、前記有機発光表示パネル１００に備えられたデータライン（DL）に、前記第１期間では前記映像データ電圧を出力し、前記第２期間では前記映像データ電圧又は前記ブラック映像データ電圧を出力し、前記第３期間では前記ブラック映像データ電圧又はセンシング映像出力のためのセンシング映像データ電圧を出力する。
【００８９】
例えば、前記データ電源供給部３１０は、前記の表示モード時、すなわち、第１期間と前記第２期間に、映像出力のために前記制御部４００から水平線単位で供給される前記映像データ（Data）を映像データ電圧に変換して前記データライン（DL）に供給する。
【００９０】
前記データ電源供給部３１０は、前記ブラックモード時、すなわち、前記第２期間、前記第３期間および前記第３期間の後の第１期間の一部期間に、ブラック映像出力のために前記制御部４００から伝送されるブラック映像データをブラック映像データ電圧に変換して、前記ブラック映像データ電圧を前記データドライバIC３００に接続したデータラインに供給する。
【００９１】
前記データ電源供給部３１０は、前記センシングモード時、すなわち、第３期間には、前記駆動トランジスタ（Tdr）の移動度の変化量センシングのために前記制御部４００から伝送されるセンシング映像データをセンシング映像データ電圧に変換して、前記センシング映像データ電圧を前記データドライバIC３００に接続したデータラインに供給する。
【００９２】
前記センシング部３２０は、前記表示モード時、前記ピクセル駆動回路（PDC）の駆動に必要な電圧を、前記センシングライン（SL）を介して前記ピクセルに供給することができる。
【００９３】
前記センシング部３２０は、前記ブラックモード時、前記ピクセル駆動回路（PDC）の駆動に必要な電圧を、前記センシングライン（SL）を介して前記ピクセルに供給することができる。
【００９４】
前記センシング部３２０は、前記センシングモード時、前記センシング部３２０と接続したセンシングラインにセンシング用電圧を供給した後、前記センシング用電圧に対応する信号を受信する。前記センシング部３２０は、一つの水平ラインに形成されているピクセル１１０に含まれた駆動トランジスタ（Tdr）の移動度の変化を示す前記信号をデジタル値であるセンシングデータ（Sdata）に変換する。前記センシング部３２０は、前記センシングデータ（Sdata）を前記制御部４００に提供する。この場合、前記制御部４００は、前記センシングデータ（Sdata）を用いて、外部補償値を算出することができる。
【００９５】
図５は、本発明に係る有機発光表示装置に適用されるゲート駆動部のゲートパルス出力部の構成を示す例示図であり、図６は、本発明に係る有機発光表示装置の駆動期間を示す例示図であり、図７は、本発明に係る有機発光表示装置に適用されるクロックの波形を示した例示図であり、図８は、本発明に係る有機発光表示装置の第２期間にゲートドライバから出力されるゲートパルスを示した例示図であり、図９は、本発明に係る有機発光表示装置の第３期間にゲートドライバから出力されるゲートパルスを示した例示図である。
【００９６】
まず、前記ゲートドライバ２００の構成を説明する。
【００９７】
前記で説明したように、前記ゲートドライバ２００は、前記第１駆動部２２１と前記第２駆動部２２２を含む前記ゲートパルス出力部２２０及び前記第３駆動部２１０を含む。
【００９８】
前記ゲートパルス出力部２２０は、前記ゲートライン（GL1 to GLg）に接続され、ゲートラインにゲートパルスを出力する。
【００９９】
前記ゲートパルス出力部２２０を構成する前記第１駆動部２２１は、第１フレーム期間中、前記制御部４００から伝送される第１〜第８ゲートクロック（CLK1 to CLK8）を用いて前記映像ゲートパルス、前記ブラックゲートパルス及び前記センシングゲートパルスを生成する。
【０１００】
前記ゲートパルス出力部２２０を構成する前記第２駆動部２２２は、前記第１フレーム期間中、前記制御部４００から伝送される第９〜第１６ゲートクロック（CLK9 to CLK16）を用いて前記映像ゲートパルス、前記ブラックゲートパルス及び前記センシングゲートパルスを生成する。
【０１０１】
前記第３駆動部２１０は、前記第１フレーム期間の前記第３期間中、前記センシングゲートパルスが出力されるように前記第１駆動部２２１及び前記第２駆動部２２２を制御する。
【０１０２】
すなわち、前記第３駆動部２１０は、前記制御部４００から伝送される前記ライン選択信号（LSP）によって、前記ゲートラインの中で、前記センシングゲートパルスが出力されるセンシングゲートラインを選択する。
【０１０３】
また、前記第３駆動部２１０は、前記第１駆動部２２１または前記第２駆動部２２２が前記センシングゲートラインに前記センシングゲートパルスを出力するように、前記第１駆動部２２１または前記第２駆動部２２２を前記制御部４００から伝送されるリセット信号（RESET）によって制御する。
【０１０４】
前記の選択信号（LSP）は、図６及び図７に示すように、前記第１期間（Ａ）と前記第２期間（Ｂ）を含む表示期間（DP）に用いられる前記ゲートクロック中のいずれか一つと共に前記制御部４００から前記ゲートドライバ２００に伝送される。
【０１０５】
前記リセット信号（RESET）は、図６及び図７に示すように、前記第３期間（Ｃ）に対応するセンシング期間（SP）に前記制御部４００から前記ゲートドライバ２００に伝送される。
【０１０６】
次に、本発明に係る有機発光表示装置がゲートパルス（GP）を出力する基本的な動作を、図５を参照して説明する。特に、以下で説明するゲートパルス（GP）は、前記映像出力のために用いられる映像ゲートパルスである。
【０１０７】
例えば、図５に示すように、第１ゲートライン（GL1）には、第１ステージ（ST1）で第１ゲートクロック（CLK1）によって生成されたゲートパルス（GP）が出力され、第２ゲートライン（GL2）には、第２ステージ（ST2）で第２ゲートクロックによって生成されたゲートパルス（GP）が出力され、第３〜第６ゲートラインには、第３〜第６ステージで第３〜第６ゲートクロックによって生成されたゲートパルス（GP）が出力され、第７ゲートライン（GL7）には、第７ステージ（ST7）で第７ゲートクロックによって生成されたゲートパルス（GP）が出力され、第８ゲートライン（GL8）には、第８ステージ（ST8）で第８ゲートクロック（CLK8）によって生成されたゲートパルス（GP）が出力される。
【０１０８】
第９ゲートライン（GL9）には、第９ステージ（ST9）で第１ゲートクロック（CLK1）によって生成されたゲートパルス（GP）が出力され、第１０ゲートライン（GL10）には、第１０ステージ（ST10）で第２ゲートクロックによって生成されたゲートパルス（GP）が出力され、第１１〜第１４ゲートラインには、第１１〜第１４ステージで第３〜第６ゲートクロックによって生成されたゲートパルス（GP）が出力され、第１５ゲートライン（GL15）には、第１５ステージ（ST15）で第７ゲートクロックによって生成されたゲートパルス（GP）が出力され、第１６ゲートライン（GL16）には、第１６ステージ（ST16）で第８ゲートクロック（CLK8）によって生成されたゲートパルス（GP）が出力される。
【０１０９】
第１７ゲートライン（GL17）には、第１７ステージ（ST17）で第９ゲートクロック（CLK9）によって生成されたゲートパルス（GP）が出力され、第１８ゲートライン（GL18）には、第１８ステージ（ST18）で第１０ゲートクロックによって生成されたゲートパルス（GP）が出力され、第１９〜第２２ゲートラインには、第１９〜第２２ステージで第１１〜第１４ゲートクロックによって生成されたゲートパルス（GP）が出力され、第２３ゲートライン（GL23）には、第２３ステージ（ST23）で第１５ゲートクロックによって生成されたゲートパルス（GP）が出力され、第２４ゲートライン（GL24）には、第２４ステージ（ST24）で第１６ゲートクロック（CLK16）によって生成されたゲートパルス（GP）が出力される。
【０１１０】
第２５ゲートライン（GL25）には、第２５ステージ（ST25）で第９ゲートクロック（CLK9）によって生成されたゲートパルス（GP）が出力され、第２６ゲートライン（GL26）には、第２６ステージ（ST26）で第１０ゲートクロックによって生成されたゲートパルス（GP）が出力され、第２７〜第３０ゲートラインには、第２７〜第３０ステージで第１１〜第１４ゲートクロックによって生成されたゲートパルス（GP）が出力され、第３１ゲートライン（GL31）には、第３１ステージ（ST31）で第１５ゲートクロックによって生成されたゲートパルス（GP）が出力され、第３２ゲートライン（GL32）には、第３２ステージ（ST32）で第１６ゲートクロック（CLK16）によって生成されたゲートパルス（GP）が出力される。
【０１１１】
前記のステージのそれぞれは、前記ゲート制御信号を用いて前記映像ゲートパルス、前記ブラックゲートパルス及び前記センシングゲートパルスを生成する。
【０１１２】
すなわち、図５に示すように、第１〜第１６ゲートライン（GL1 to GL16）に出力されるゲートパルス（GP）は、前記第１駆動部２２１で前記第１〜第８ゲートクロック（CLK1 to CLK8）を用いて生成され、第１７〜第３２ゲートライン（GL17 to GL32）に出力されるゲートパルス（GP）は、前記第２駆動部２２２で前記第９〜第１６ゲートクロック（CLK9 to CLK16）を用いて生成される。
【０１１３】
したがって、１６個のゲートパルスごとに、前記ゲートパルスが出力される駆動部が異なる。以下では、このような特徴は、１６周期で表現される。
【０１１４】
さらに、３２個のゲートパルスを周期にして、同じ機能が繰り返される。以下では、このような特徴は、３２周期で表現される。
【０１１５】
したがって、例えばゲートラインが２１６０本の場合は、２１６０個のゲートパルスが出力される期間は、３２ｎ＋１６（Ｙ）で表現することができる。ここで、ｎは６７以下の自然数である。例えば、ゲートラインが２１６０本の場合３２周期が６７回繰り返され、１６周期が１回行なわれると、２１６０本のゲートラインのすべてにゲートパルスを出力することができる。
【０１１６】
すなわち、１フレーム期間中、前記第１期間（Ａ）及び前記第２期間（Ｂ）を含む前記表示期間は、３２ｎ＋１６（Ｙ）で表現することができ、前記表示期間（Ａ、Ｂ）に、映像（Ｉ）出力のための前記映像ゲートパルスは、前記で説明したような方法を介して前記ゲートラインに出力される。
【０１１７】
この場合、前記第１駆動部２２１は、前記第１駆動部２２１からゲートパルスが出力された後、１６周期の間にはゲートパルスを出力せず、１６周期が経過すると、再びゲートパルスを出力する。
【０１１８】
前記第２駆動部２２２もまた、前記第２駆動部２２２からゲートパルスが出力された後、１６周期の間にはゲートパルスを出力せず、１６周期が経過すると、再びゲートパルスを出力する。
【０１１９】
前記１フレーム期間、すなわち、第１期間（Ａ）、前記第２期間（Ｂ）及び前記第３期間（Ｃ）を合わせた期間は、３２ｍ周期で設定することができる。ここで、ｍはｎよりも大きい自然数である。
【０１２０】
しかし、前記で説明した周期、すなわち、１６周期、３２周期、３２ｎ＋１６、３２ｍなどは、本発明の説明のための例示であり、したがって、本発明がこれに限定されるものではない。すなわち、前記の周期を様々に変更することができる。
【０１２１】
次に、本発明に係る有機発光表示装置が前記第２期間（Ｂ）に映像ゲートパルス（IGP）とブラックゲートパルス（BGP）を出力する方法を、図５〜図８を参照して説明する。
【０１２２】
前記で説明したように、前記第１駆動部２２１と前記第２駆動部２２２は、１６周期ごとに繰り返して映像ゲートパルスを出力する。
【０１２３】
この場合、前記第１駆動部２２１から出力される第１〜第８映像ゲートパルス（IGP）のうち、第４映像ゲートパルスと第５映像ゲートパルス間の間隔は、図８に示したように、他の映像ゲートパルス間の間隔よりも大きく形成されている。このため、前記第１駆動部２２１で使用される第１〜第８ゲートクロック（CLK1 to CLK8）の中で、第４ゲートクロック（CLK4）と第５ゲートクロック（CLK5）間の間隔は、図７に示すように、他のゲートクロック間の間隔よりも大きく形成されている。
【０１２４】
また、前記第２駆動部２２２から出力される第１７〜第２４映像ゲートパルス（IGP）の中で、第２０映像ゲートパルスと第２１映像ゲートパルス間の間隔は、図８に示したように、他の映像ゲートパルス間の間隔よりも大きく形成されている。このため、前記第２駆動部２２２で使用される第９〜第１６ゲートクロックの（CLK9 to CLK16）の中で、第１２ゲートクロック（CLK8）と第１３ゲートクロック（CLK13）間の間隔は、図７に示すように、他のゲートクロック間の間隔よりも大きく形成されている。
【０１２５】
本発明は、前記第４映像ゲートパルスと前記第５映像ゲートパルス間の間隔に対応する期間の間、前記ブラック映像を出力するための前記ブラックゲートパルス（BGP）を出力する。前記ブラックゲートパルス（BGP）は、前記ゲートクロックの組み合わせによって生成されることもあり、また、他のゲートクロックによって生成されることもある。
【０１２６】
この場合、前記ブラックゲートパルス（BGP）は、８つのゲートラインに同時に出力される。したがって、前記の８つのゲートラインに接続したスイッチングトランジスタが同時にターンオンされ、これにより、前記スイッチングトランジスタと接続したデータラインには、ブラック映像データ電圧が同時に供給される。
【０１２７】
したがって、図６に示すように、８つのゲートラインに対応するピクセルには、同時にブラック映像を出力することができる。
【０１２８】
前記第２駆動部２２２もまた、８つのゲートラインに前記ブラックゲートパルス（BGP）を同時に出力することができる。したがって、前記第２駆動部２２２と接続している８つのゲートラインに対応するピクセルにも同時にブラック映像を出力することができる。
【０１２９】
この場合、前記ブラックゲートパルス（BGP）は、図８に示すように、前記第１駆動部２２１が前記映像ゲートパルス（IGP）を出力しない第１スリーピング期間（1SLP）または前記第２駆動部２２２が前記映像ゲートパルス（IGP）を出力しない第２スリーピング期間（2SLP）に前記ゲートラインに出力することができる。
【０１３０】
例えば、図８は、前記の表示期間中、特に前記第２期間（Ｂ）を示す。前記第２期間（Ｂ）には、映像データ電圧及びブラック映像データ電圧が前記有機発光表示パネル１００に出力され、そのために、図８に示すように、前記映像ゲートパルス（IGP）およびブラックゲートパルス（BGP）が前記ゲートラインに出力される。前記第２期間（Ｂ）を、図６に示すように、３２ｋ＋１６（Ｘ）周期が経過したある時点から開始することができ、ｋはｎよりも小さい自然数である。
【０１３１】
第２期間（Ｂ）において、最初の１６周期中には、例えば、図８に示すように、前記第１駆動部２２１が前記ゲートラインに順次に前記映像ゲートパルス（IGP）を出力し、二番目の１６周期中には、前記第２駆動部２２２が前記ゲートラインに順次に前記映像ゲートパルス（IGP）を出力し、三番目の１６周期中には、再度、前記第１駆動部２２１が前記ゲートラインに順次に前記映像ゲートパルス（IGP）を出力し、四番目の1６周期中には、再度、前記第２駆動部２２２が前記ゲートラインに順次に前記映像ゲートパルス（IGP）を出力する。
【０１３２】
この場合、前記第１駆動部２２１が映像ゲートパルス（IGP）を出力した後、再び映像ゲートパルス（IGP）を出力するまでの期間を、第１スリーピング期間（1SLP）とし、前記第２駆動部２２２が映像ゲートパルス（IGP）を出力した後、再び映像ゲートパルス（IGP）を出力するまでの期間を、第２スリーピング期間（2SLP）とする。
【０１３３】
本発明によれば、前記第２期間（Ｂ）のうち前記第１スリーピング期間（1SLP）及び前記第２スリーピング期間（2SLP）に前記ブラックゲートパルス（BGP）を出力する。つまり、前記第２期間中、前記第１スリーピング期間（1SLP）及び前記第２スリーピング期間（2SLP）には、前記ブラックゲートパルス（BGP）が出力される。
【０１３４】
さらに説明すると、前記表示期間（DP）のうち前記第１期間（Ａ）では、図８に示された前記映像ゲートパルス（IGP）だけがゲートラインに出力され、前記有機発光表示パネル１００から映像（Ｉ）が出力される。
【０１３５】
前記の表示期間（DP）のうち前記第２期間（Ｂ）において、図８に示すように、前記第１駆動部２２１から映像ゲートパルス（IGP）が出力された後、前記第１スリーピング期間（1SLP）では、前記第１駆動部２２１からブラックゲートパルス（BGP）が出力され、前記第２駆動部２２２から映像ゲートパルス（IGP）が出力された後、前記第２スリーピング期間（2SLP）では、前記第２駆動部２２２からブラックゲートパルス（BGP）が出力されて、図６に示すような形態でブラック映像（BI）が前記有機発光表示パネル１００から出力される。
【０１３６】
最後に、本発明に係る有機発光表示装置が、前記第３期間（C）にブラックゲートパルス（BGP）とセンシングゲートパルス（BGP）を出力する方法を、図５〜図９を参照して説明する。
【０１３７】
前記で説明したように、前記第２期間（Ｂ）のうち前記第１スリーピング期間（1SLP）及び前記第２スリーピング期間（2SLP）では、前記ブラックゲートパルス（BGP）が出力され、前記第２期間（Ｂ）のうち前記第１スリーピング期間（1SLP）及び前記第２スリーピング期間（2SLP）を除いた期間では、前記の映像ゲートパルス（IGP）が出力される。
【０１３８】
この場合、前記第３期間（Ｃ）のうち前記第１スリーピング期間（1SLP）及び前記第２スリーピング期間（2SLP）では、前記センシングゲートパルス（BGP）が出力され、前記第３期間（Ｃ）のうち前記第１スリーピング期間（1SLP）及び前記第２スリーピング期間（2SLP）を除いた期間では、前記ブラックゲートパルス（BGP）が出力される。
【０１３９】
例えば、前記第３期間（Ｃ）の最初の１６周期中では、図９に示すように、前記第１駆動部２２１が前記ゲートラインに前記ブラックゲートパルス（BGP）を出力し、二番目の１６周期中では、前記第２駆動部２２２が前記ゲートラインに前記ブラックゲートパルス（BGP）を出力し、三番目の１６周期中では、再度、前記第１駆動部２２１が前記ゲートラインに前記ブラックゲートパルス（BGP）を出力し、四番目の１６周期中では、再度、前記第２駆動部２２２が前記ゲートラインに前記ブラックゲートパルス（BGP）を出力する。
【０１４０】
この場合、前記第１駆動部２２１がブラックゲートパルス（BGP）を出力した後、再びブラックゲートパルス（BGP）を出力するまでの期間を第１スリーピング期間（1SLP）とし、前記第２駆動部２２２がブラックゲートパルス（BGP）を出力した後、再びブラックゲートパルス（BGP）を出力するまでの期間を第２スリーピング期間（2SLP）とする。
【０１４１】
本発明は、前記第３期間（Ｃ）のうち、前記第１スリーピング期間（1SLP）及び前記第２スリーピング期間（2SLP）に前記センシングゲートパルスを出力する。
【０１４２】
さらに説明すると、本発明によれば、１６周期で、前記第１駆動部２２１と前記第２駆動部２２２が駆動され、したがって、前記第１駆動部２２１が駆動しない期間、すなわち、第１スリーピング期間（1SLP）及び前記第２スリーピング期間（2SLP）が存在する。
【０１４３】
この場合、前記第１期間（Ａ）では、前記映像ゲートパルス（IGP）だけが出力されるので、第１スリーピング期間（1SLP）及び前記第２スリーピング期間（2SLP）に特別な信号が出力されない。
【０１４４】
前記第２期間（Ｂ）では、前記映像ゲートパルス（IGP）だけではなく、前記のブラックゲートパルス（BGP）が出力される。したがって、本発明は、前記第２期間（Ｂ）のうち前記第１スリーピング期間（1SLP）及び前記第２スリーピング期間（2SLP）では、前記ブラックゲートパルス（BGP）を出力し、残りの期間では、前記の映像ゲートパルス（IGP）を出力する。
【０１４５】
前記第３期間（Ｃ）では、前記映像ゲートパルス（IGP）は出力されず、前記ブラックゲートパルス（BGP）と、前記センシングゲートパルスが出力される。したがって、本発明によれば、前記第３期間（Ｃ）のうち前記第１スリーピング期間（1SLP）及び前記第２スリーピング期間（2SLP）では、前記センシングゲートパルスを出力し、残りの期間では、前記のブラックゲートパルス（BGP）を出力する。
【０１４６】
ここで、前記第１スリーピング期間（1SLP）のすべての期間及び前記第２スリーピング期間（2SLP）のすべての期間が、前記センシングゲートパルスが出力される期間、すなわち、センシング可能期間に用いられるのではない。
【０１４７】
すなわち、前記第１スリーピング期間（1SLP）及び前記第２スリーピング期間（2SLP）の中でも、前記センシング可能期間に使用することができる期間は限られていて、前記センシング可能期間の時点を、ゲートラインごとに異なって設定することができる。
【０１４８】
例えば、前記第１フレーム期間の前記第３期間（Ｃ）において、前記ブラックゲートパルス（BGP）が出力された以後、前記センシングゲートラインにセンシングゲートパルスが出力されるまでの期間は、第２フレーム期間の第３期間（Ｃ）で、ブラックゲートパルスが出力された後、また別のセンシングゲートラインにセンシングゲートパルスが出力されるまでの期間とは異なり得る。これに対する詳細な説明は、以下で図１０を参照して、詳細に説明する。
【０１４９】
また、図５〜図９を参照して説明した前記ゲートドライバ２００の構造と機能は、本発明の一例として説明したものであり、したがって、本発明がこれに限定されるものではない。つまり、前記ゲートドライバ２００の構造と機能は、前記したような機能を実行するために、様々な形態に変更することができる。
【０１５０】
図１０は、本発明に係る有機発光表示装置の第３期間を示す例示図であり、特に、スリーピング期間での互いに異なるセンシング可能期間を示す例示図である。以下では、図１〜図１０を参照して、本発明に係る有機発光表示装置の駆動方法を説明する。以下の説明中、前記で説明した内容と同一または類似の内容は省略または簡単に説明する。
【０１５１】
まず、第１フレーム期間の前記第１期間（Ａ）において、前記ゲートドライバ２００は、映像（Ｉ）の出力に用いられる映像データ電圧の出力を制御する映像ゲートパルスを前記有機発光表示パネル１００に備えられたゲートラインに出力する。
【０１５２】
この場合、前記第１駆動部２２１は、前記制御部４００から伝送される第１〜第８ゲートクロックを用いて映像ゲートパルス（IGP）を生成した後、１６個のゲートラインに映像ゲートパルス（IGP）を出力する。
【０１５３】
前記第２駆動部２２２は、前記制御部から伝送される第９〜第１６ゲートクロックを用いて映像ゲートパルス（IGP）を作成した後、また別の１６個のゲートラインに映像ゲートパルス（IGP）を出力する。
【０１５４】
前記第３駆動部２１０は、前記制御部４００から伝送されるライン選択信号（LSP）によって、前記ゲートラインのうち、第３期間（Ｃ）でセンシングゲートパルスが出力されるセンシングゲートラインを選択する。
【０１５５】
前記制御部４００は、入力映像データを映像データに変換して前記映像データを前記データドライバIC３００に伝送する。
【０１５６】
特に、前記制御部４００は、前記ゲートクロック（CLK1 to CLK16）中、前記センシングゲートラインに前記第１フレームの前記第１期間（Ａ）に出力される映像のゲートパルスに対応するゲートクロックが、前記第１駆動部２２１または前記第２駆動部２２２に出力されるタイミングで、前記のライン選択信号（LSP）を前記第３駆動部２１０に出力する。
【０１５７】
前記第３駆動部２１０は、前記第１期間（Ａ）に受信した前記ライン選択信号（LSP）を保存する。前記ライン選択信号（LSP）は、前記第３期間（Ｃ）にセンシングが行われるセンシングゲートラインに対する情報を含む。
【０１５８】
前記のデータドライバIC３００は、前記制御部４００から伝送される前記映像データを前記映像データ電圧に変換する。
【０１５９】
前記のデータドライバIC３００は、前記ゲートラインに前記映像ゲートパルス（IGP）が供給される期間に、前記データラインに前記映像データ電圧を出力する。
【０１６０】
これにより、前記第１期間（Ａ）には、図６に示したように、前記映像（Ｉ）が、前記有機発光表示パネル１００を介して出力される。
【０１６１】
次に、第１フレーム期間の前記第２期間（Ｂ）において、前記ゲートドライバ２００は、映像（Ｉ）の出力に用いられる映像データ電圧の出力を制御する映像ゲートパルス（IGP）と、ブラック映像（BI）の出力に用いられるブラック映像データ電圧の出力を制御するブラックゲートパルス（BGP）とを、前記有機発光表示パネル１００に備えられたゲートラインに出力する。
【０１６２】
すなわち、前記ゲートドライバ２００は、図８を参照して説明した方法を用いて、前記映像ゲートパルス（IGP）と、前記ブラックゲートパルス（BGP）とを、ゲートラインに出力する。
【０１６３】
前記制御部４００が前記ライン選択信号（LSP）を前記第３駆動部２１０に出力する機能を、前記第１期間（Ａ）のみならず、前記第２期間（Ｂ）にも行なうことができる。
【０１６４】
例えば、前記第３期間（Ｃ）にセンシングが行われるセンシングゲートラインに出力される映像のゲートパルスが、前記第２期間（Ｂ）に、前記センシングゲートラインに出力されると、前記制御部４００は、前記ゲートクロック（CLK1 to CLK16）中、前記映像ゲートパルスに対応するゲートクロックが前記第２期間（Ｂ）に前記第１駆動部２２１または前記第２駆動部２２２に出力されるタイミングで、前記ライン選択信号（LSP）を前記第３駆動部２１０に出力することができる。
【０１６５】
前記第３駆動部２１０は、前記第２期間（Ｂ）に受信した前記ライン選択信号（LSP）を保存する。前記ライン選択信号（LSP）は、前記第３期間（Ｃ）にセンシングが行われるセンシングゲートラインに対する情報を含む。
【０１６６】
前記ライン選択信号（LSP）は、前記第１フレーム期間中、一度だけ前記第３駆動部２１０に伝送される。
【０１６７】
すなわち、前記第３期間（Ｃ）に、１つのセンシングゲートラインに対してセンシングが行われるため、前記ライン選択信号（LSP）もまた前記第１フレーム期間中、一度だけ前記第３駆動部２１０に伝送される。
【０１６８】
前記制御部４００は、前記第２期間（Ｂ）に、前記画像（Ｉ）に対応する映像データ及び前記ブラック画像（BI）に対応するブラック映像データを生成して、前記データドライバIC３００に伝送する。
【０１６９】
前記ブラック映像データは、前記保存部４５０に保存された後、前記のデータドライバIC３００に伝送され得る。
【０１７０】
前記のデータドライバIC３００は、前記映像データを映像データ電圧に変換し、前記ブラック映像データをブラック映像データ電圧に変換する。
【０１７１】
前記のデータドライバIC３００は、前記ゲートラインに前記映像ゲートパルス（IGP）が供給される期間では、前記データラインに前記映像データ電圧を出力し、前記ゲートラインに前記ブラックゲートパルス（BGP）が供給される期間では、前記データラインに前記ブラック映像データ電圧を出力する。
【０１７２】
これにより、前記第２期間（Ｂ）では、図６に示したように、前記映像（Ｉ）と前記ブラック映像（BI）が、前記有機発光表示パネル１００を介して出力される。
【０１７３】
最後に、前記第１フレーム期間中、前記第２期間（Ｂ）後から第２フレーム期間の第１期間（Ａ）が開始されるまでの第３期間（Ｃ）に、前記ゲートドライバ２００は、ブラック映像（BI）出力に用いられるブラック映像データ電圧の出力を制御するブラックゲートパルス（BGP）を、前記有機発光表示パネル１００に備えられたゲートラインに出力する。
【０１７４】
また、前記ゲートドライバ２００は、特性変化が検出される、すなわち、センシングが行われる駆動トランジスタと接続している一つのゲートライン、つまり、センシングゲートラインに、前記第１スリーピング期間（1SLP）または前記第２スリーピング期間（2SLP）にセンシングゲートパルスを出力する。
【０１７５】
前記第３駆動部２１０は、前記センシングゲートパルスが出力されるように、第３期間（Ｃ）に、前記第１駆動部２２１または前記第２駆動部２２２を制御する。
【０１７６】
特に、前記第３駆動部２１０は、前記第１駆動部２２１または前記第２駆動部２２２が前記センシングゲートラインに前記センシングゲートパルスを出力するように、前記第１駆動部２２１または前記第２駆動部２２２を、前記制御部４００から伝送されたリセット信号（RESET）によって制御する。
【０１７７】
前記のセンシングゲートパルスが前記第１駆動部２２１から出力されると、前記制御部４００は、前記第３期間（Ｃ）のうち、前記第１駆動部２２１がブラックゲートパルスを出力するために駆動した後から、前記第２駆動部２２２がブラックゲートパルスを出力して、再度、ブラックゲートパルスを出力するために前記第１駆動部２２１が駆動するまでの第１スリーピング期間（1SLP）中のいずれか一つの期間をセンシング可能期間（SPP）に選択して、前記センシング可能期間（SSP）の開始を知らせる前記リセット信号（RESET）を前記第３駆動部２１０に伝送する。
【０１７８】
前記第３駆動部２１０は、前記制御部４００から伝送されたリセット信号（RESET）によって、前記第１駆動部２２１または前記第２駆動部２２２を制御する。すなわち、前記第３駆動部２１０は、前記第１期間（Ａ）または前記第２期間（Ｂ）に伝送された前記ライン選択信号（LSP）によって、前記センシングが行われるセンシングゲートラインに対する情報を保存し、前記第３期間（Ｃ）において前記リセット信号（RESET）を受信すると、前記第１駆動部２２１または前記第２駆動部２２２のうち前記センシングゲートラインと接続しているいずれか一つに前記リセット信号（RESET）を伝送する。
【０１７９】
前記リセット信号（RESET）は、前記センシングゲートラインにセンシングゲートパルスを出力するステージに供給される。前記リセット信号（RESET）を受信した前記ステージは、前記センシング可能期間（SSP）の開始タイミングに前記センシングゲートラインにセンシングゲートパルスを出力する。
【０１８０】
前記のセンシングゲートパルスが前記第２駆動部２２２から出力されると、前記制御部４００は、前記第３期間（Ｃ）中、前記第２駆動部２２２がブラックゲートパルスを出力するために駆動した後から、前記第１駆動部２２１がブラックゲートパルスを出力して、再度、ブラックゲートパルスを出力するために前記第２駆動部２２２が駆動するまでの第２スリーピング期間（2SLP）のいずれか一つの期間をセンシング可能期間（SPP）に選択して、前記センシング可能期間の開始を知らせる前記リセット信号（RESET）を前記第３駆動部２１０に伝送する。
【０１８１】
前記第３駆動部２１０は、前記制御部４００から伝送されたリセット信号（RESET）によって、前記第１駆動部２２１または前記第２駆動部２２２を制御する。すなわち、前記第３駆動部２１０は、前記第１期間（Ａ）または前記第２期間（Ｂ）に伝送された前記ライン選択信号（LSP）によって、前記センシングが行われるセンシングゲートラインに対する情報を保存し、前記第３期間（Ｃ）において前記リセット信号（RESET）を受信すると、前記第１駆動部２２１または前記第２駆動部２２２のうち前記センシングゲートラインと接続しているいずれか一つに、前記リセット信号（RESET）を伝送する。
【０１８２】
前記リセット信号（RESET）は、前記センシングゲートラインにセンシングゲートパルスを出力するステージに供給される。前記リセット信号（RESET）を受信した前記ステージは、前記センシング可能期間（SSP）の開始タイミングに前記センシングゲートラインにセンシングゲートパルスを出力する。
【０１８３】
前記制御部４００は、前記第３期間（Ｃ）に、前記ブラック画像（BI）に対応するブラック映像データ及び前記センシング映像に対応するセンシング映像データを生成して、前記データドライバIC３００に伝送する。
【０１８４】
前記のデータドライバIC３００は、前記ブラック映像データをブラック映像データ電圧に変換し、前記センシング映像データをセンシング映像データ電圧に変換する。
【０１８５】
前記のデータドライバIC３００は、前記ゲートラインに前記ブラックゲートパルス（BGP）が供給される期間には、前記データラインに前記ブラック映像データ電圧を出力し、前記ゲートラインに前記センシングゲートパルスが供給される期間では、前記データラインに前記センシング映像データ電圧を出力する。
【０１８６】
これにより、前記第３期間（Ｃ）では、前記ブラック映像（BI）およびセンシング映像が前記有機発光表示パネル１００を介して出力される。この場合、前記センシング映像データ電圧によって、前記センシングゲートラインに接続しているピクセルに備えられた駆動トランジスタ（Tdr）の移動度の変化量が検出され得る。前記移動度の変化量によって外部補償値が算出され、前記外部補償値は、第２フレームまたはそれ以後のフレームにおいて使用することができる。
【０１８７】
上述のように、前記第１フレーム期間の前記第３期間（C）において、前記ブラックゲートパルス（BGP）が出力された以後、前記センシングゲートラインにセンシングゲートパルスが出力されるまでの期間は、前記第２フレーム期間の第３期間（C）で、ブラックゲートパルスが出力された以後から、また別のセンシングゲートラインにセンシングゲートパルスが出力されるまでの期間とは異なり得る。
【０１８８】
例えば、図１０のＥ−Ｅ'線を境界として、左側は前記第２期間（Ｂ）を示し、右側は前記第３期間（Ｃ）を示す。
【０１８９】
また、図１０の縦軸は、前記ゲートクロック又はゲートラインを意味し、図１０のＤ−Ｄ’線を境界として、左側は前記第１駆動部２２１と前記第２駆動部２２２が初めて駆動して出力するブラックゲートパルスを示し、右側は前記第１駆動部２２１と前記第２駆動部２２２が、２番目に駆動して出力するブラックゲートパルスを示す。
【０１９０】
例えば、図１０の左側縦軸およびＤ−Ｄ’線の左側に示すように、前記第１駆動部２２１で使用される第１〜第８ゲートクロック（CLK1 to CLK8）によって第１〜第１６ゲートラインにブラックゲートパルスが出力され、第２駆動部２２２で使用される第９〜第１６ゲートクロック（CLK9 to CLK16）によって、第１７〜第３２ゲートラインにブラックゲートパルスが出力される。
【０１９１】
前記第１６ゲートラインにブラックゲートパルスが出力された後、Ｄ−Ｄ’線の右側に示すように、前記第１駆動部２２１で使用される第１〜第８ゲートクロック（CLK1 to CLK8）によって、第３３〜第４８ゲートラインにブラックゲートパルスが出力され、第２駆動部２２２で使用される第９〜第１６ゲートクロック（CLK9 to CLK16）によって、第４９〜第６４ゲートラインにブラックゲートパルスが出力される。
【０１９２】
また、図１０の横軸は、時間の流れを示す。図１０に一つの四角形は、数字で表示されており、前記の数字は時間を意味することもあり、ゲートラインを意味することもできる。説明の便宜上、図１０において、前記数字はＨと一緒に記載されている。ここで、Ｈは時間を意味する。
【０１９３】
上述のように、前記第１駆動部２２１または前記第２駆動部２２２は、８つのゲートラインに同時に前記ブラックゲートパルス（BGP）を出力することができる。したがって、図１０では、８つのゲートラインに同時に出力される８つのブラックゲートパルスがグループで表現されている。
【０１９４】
例えば、図１０に示された図の横軸の５Ｈから出力されるブラックゲートパルスは、第１ブラックゲートパルスグループ（1BGPG）で示されており、１５Ｈから出力されるブラックゲートパルスは、第２ブラックゲートパルスグループ（2GPG）で示されており、２５Ｈから出力されるブラックゲートパルスは、第３ブラックゲートパルスグループ（3GPG）に示されており、３５Ｈから出力されるブラックゲートパルスは、第４ブラックゲートパルスグループ（2GPG）に示されている。
【０１９５】
また、図１０において、Ｖに示された領域は、前記第１駆動部２２１または前記第２駆動部２２２のステージのそれぞれに接続されているゲートラインにブラックゲートパルスを出力するために駆動する領域を示し、Ｗで示された領域は、前記第１駆動部２２１または前記第２駆動部２２２のステージのそれぞれの前段または後段のステージに必要な信号を生成するために駆動する領域を示す。
【０１９６】
すなわち、図１０のＶおよびＷで示された領域は、前記第１駆動部２２１及び前記第２駆動部２２２が駆動している期間を表し、ＶおよびＷで示されない領域は、前記第１駆動部２２１及び前記第２駆動部２２２が駆動しない期間を示す。
【０１９７】
前記で説明したように、前記第１スリーピング期間（1SLP）は、前記第３期間（Ｃ）のうち、前記第１駆動部２２１がブラックゲートパルス（BGP）を出力するために駆動した後から、前記第２駆動部２２２がブラックゲートパルスを出力して、再度、ブラックゲートパルスを出力するために、前記第１駆動部２２１が駆動するまでの期間を意味する。
【０１９８】
第２スリーピング期間（2SLP）は、前記第３期間（Ｃ）中、前記第２駆動部２２２がブラックゲートパルス（BGP）を出力するために駆動した後から、前記第１駆動部２２１がブラックゲートパルス（BGP）を出力して、再度、ブラックゲートパルスを出力するために、前記第２駆動部２２２が駆動するまでの期間を意味する。
【０１９９】
この場合、図１０に示すように、第１スリーピング期間（1SLP）及び前記第２スリーピング期間（2SLP）にはＷで示された領域が存在する。
【０２００】
前記のように、Ｗで示された領域は、前記第１駆動部２２１及び前記第２駆動部２２２がブラックゲートパルスを出力するために駆動している領域を意味する。
【０２０１】
前記のブラックゲートパルスを出力するために、前記第１駆動部２２１及び前記第２駆動部２２２が駆動している間には、センシングゲートパルスが出力されない。
【０２０２】
したがって、本発明では、前記制御部４００が前記第１スリーピング期間及び前記第２スリーピング期間のいずれかの期間をセンシング可能期間（SPP）を選択して、前記センシング可能期間（SPP）の開始を知らせる前記リセット信号（RESET）を前記第３駆動部２１０に伝送し、前記第３駆動部２１０は、前記リセット信号によって前記第１駆動部２２１または前記第２駆動部２２２を制御し、前記第１駆動部２２１または前記第２駆動部２２２は、前記リセット信号（RESET）に対応するタイミングで、前記センシングゲートパルスをゲートラインに出力する。
【０２０３】
例えば、図１０において、第１および第２ゲートラインには、２０Ｈのタイミングにセンシングゲートパルスを出力することができ、第３及び第４ゲートラインには、２１Ｈのタイミングにセンシングゲートパルスを出力することができ、第５及び第６ゲートラインには、２２Ｈのタイミングにセンシングゲートパルスを出力することができ、第７及び第８ゲートラインには、２５Ｈのタイミングにセンシングゲートパルスを出力することができる。
【０２０４】
この場合、ゲートラインからブラックゲートパルスが出力された後、前記センシングゲートパルスが出力されるタイミングが、ゲートライン毎に異なっていることが分かる。
【０２０５】
すなわち、前記第１フレーム期間の前記第３期間（Ｃ）において、前記ブラックゲートパルスが出力された以後、前記センシングゲートラインにセンシングゲートパルスが出力されるまでの期間は、前記第２フレーム期間の第３期間で、ブラックゲートパルスが出力された後から、別のセンシングゲートラインにセンシングゲートパルスが出力されるまでの期間と異なる。
【０２０６】
さらに説明すると、１フレーム期間の前記第３期間（Ｃ）は、１つのセンシングゲートパルスのみが出力され、互いに別の１フレーム期間の前記第３期間（Ｃ）で、ブラックゲートパルスが出力された後、前記センシングゲートパルスが出力されるタイミングは、ゲートライン毎に異なって設定することができる。
【０２０７】
しかし、すべてのゲートラインにおいて、前記タイミングが、異なるものではなく、前記したようなパターンが一定の周期で繰り返され得る。
【０２０８】
本発明では、前記制御部４００は、図１０に示すようなタイミングに対する情報を保存している。
【０２０９】
したがって、前記制御部４００は、前記のタイミングに対する情報およびセンシングが行われるセンシングゲートラインを考慮して、前記センシング可能期間（SPP）が開始されるタイミングを設定することができ、前記のタイミングに合わせて、前記リセット信号（RESET）を前記第３駆動部２１０に出力することができる。
【０２１０】
本発明によれば、ブラック映像出力のためのブラック映像データ電圧がパネルに供給されるタイミングと、センシング映像出力のためのセンシング映像データ電圧がパネルに供給されるタイミングを異なって設定することができ、これにより、ブラック映像を出力する機能および駆動トランジスタをセンシングする機能を垂直ブランキング期間においてすべて実行することができる。
【０２１１】
本発明の属する技術分野の当業者は、本発明がその技術的思想や必須的な特徴を変更せず、異なる具体的な形態で実施することができることを理解できるだろう。したがって、以上で記述した実施例は、すべての面で例示的なものであり、限定的なものではないものと理解されなければならない。本発明の範囲は、前記の詳細な説明ではなく、後述する特許請求の範囲によって示され、特許請求の範囲の意味及び範囲そしてその等価概念から導出されるすべての変更または変形された形態が本発明の範囲に含まれるものと解釈されなければならない。
【符号の説明】
【０２１２】
１００：パネル
２００：ゲートドライバ
３００：データドライバIC
４００：制御部
【図１】
2020076949.tif 000003
【図２】
2020076949.tif 000004
【図３】
2020076949.tif 000005
【図４】
2020076949.tif 000006
【図５】
2020076949.tif 000007
【図６】
2020076949.tif 000008
【図７】
2020076949.tif 000009
【図８】
2020076949.tif 000010
【図９】
2020076949.tif 000011
【図１０】
2020076949.tif 000012